【手続補正書】
【提出日】平成19年5月23日(2007.5.23)
【手続補正１】
【補正対象書類名】明細書
【補正対象項目名】特許請求の範囲
【補正方法】変更
【補正の内容】
【特許請求の範囲】
【請求項１】
アッド−ドロップ装置に結合した格子であって、
自由スペクトル領域及び複数の縦方向共振器モード周波数を規定する往復光路長で特徴付けられる往復光路を有する共振器と、
前記共振器の光路に沿って配置され、温度変化に実質的に影響されない実効屈折率を有するキャビティ内導波路セグメントと、
前記キャビティ内導波路に隣接して配置され、温度依存性の屈折率を有する熱−光学的導波路セグメントと、
前記熱−光学的導波路に熱的に結合された温度で特徴付けられる抵抗性のヒータ電極と、
前記熱−光学的導波路内で伝搬する光ビームと重なる関係で配置され、前記キャビティ内導波路と前記熱−光学的導波路との間に格子結合を誘導する格子であって、前記格子結合の格子周波数が温度変化によって同調され、少なくとも第１共振器モード周波数は温度変化に実質的に影響されない格子と、
前記共振器の光路に隣接して配置され、広帯域の平行カップラ配列内で前記共振器に光学的に結合された外部導波路セグメントと、
を備える格子。
【請求項２】
前記共振器の往復光路長が、前記共振器の一様な温度変化に実質的に影響されない、請求項１に記載の装置。
【請求項３】
前記キャビティ内導波路及び前記熱−光学的な導波路が平行の結合関係で配置され、
前記格子が前記キャビティ内導波路を伝搬する光と重なる関係で配置され、
補助格子、前記キャビティ内導波路及び前記熱―光学的導波路が、格子補助の平行カップラを構成する、請求項１に記載の装置。
【請求項４】
前記共振器が共振器の損失で特徴付けられるリング共振器であり、
前記熱−光学的導波路の入力導波路セグメントにおける光学的な場の第１の小部分が第１の共振器モードに結合され、
入力の場の第２の小部分が光学出力に伝搬し、
前記第１の共振器モードの場の第３の小部分が前記光学出力に結合され、
前記第２の小部分及び前記第３の小部分が破壊的に干渉して前記光学出力の光学的パワーが実質的にゼロになるように、格子結合又は共振器損失が、インピーダンス整合周波数で前記共振器をインピーダンス整合させるように調節される、請求項３に記載の装置。
【請求項５】
前記インピーダンス整合周波数で前記入力導波路の実質的にすべての光学的パワーが前記共振器に結合される、請求項４に記載の装置。
【請求項６】
前記熱−光学的導波路が更に、入力導波路セグメントと、出力導波路セグメントとを備え、
前記外部導波路が更に、アッド導波路セグメントと、ドロップ導波路セグメントとを備える、請求項１に記載の装置。
【請求項７】
前記入力導波路の光学的入力パワーの実質の小部分が前記第１の共振器モード周波数で前記ドロップ導波路に結合され、
前記装置は周波数選択性のドロップ装置である、請求項６に記載の装置。
【請求項８】
光学的入力パワーの前記実質小部分を受けるために結合された光学結合器を更に含み、
前記装置は周波数選択性の検出器である、請求項７に記載の装置。
【請求項９】
前記アッド導波路の光学的入力パワーの実質の小部分が前記第１の共振器モード周波数で前記出力導波路に結合され、
前記装置は周波数選択性のアッド装置である、請求項６に記載の装置。
【請求項１０】
第２の共振器モード周波数で前記入力導波路の実質的に全ての光学的入力パワーが前記出力導波路に結合される、請求項６に記載の装置。
【請求項１１】
前記キャビティ内導波路が、前記熱−光学的導波路に隣接する第１の実効屈折率で特徴付けられ、
前記キャビティ内導波路が更に、第１の実効屈折率とは異なる調節された実効屈折率で特徴付けられる調節された導波路セグメントを含む、請求項１に記載の装置。
【請求項１２】
前記格子結合が最大値半値の半幅の結合帯域幅で特徴付けられ、該結合帯域幅が前記自由スペクトル領域よりも狭い、請求項１に記載の装置。
【請求項１３】
前記自由スペクトル領域が、光学的通信周波数帯域内の指定の周波数チャンネル間隔の有理分数である、請求項１に記載の装置。
【請求項１４】
格子結合された光学的交叉接続であって、
前記自由スペクトル領域と複数の縦方向共振器モード周波数を規定する往復光路長とで特徴付けられる往復光路を有する共振器と、
前記共振器の光路に沿って配置され、第１の温度変化に実質的に影響されない第１の実効屈折率を有する第１のキャビティ内導波路セグメントと、
前記第１のキャビティ内導波路に隣接して配置され、第１の温度依存性屈折率を有する第１の熱−光学的導波路セグメントと、
前記第１の熱−光学的導波路に隣接して配置され、前記第１のキャビティ内導波路及び前記第１の熱−光学的導波路を加熱するために熱的に結合された、第１の温度で特徴づけられる第１の抵抗性ヒータ電極と、
前記第１のキャビティ内導波路及び前記第１の熱−光学的導波路において伝搬する光と重なる関係で配置され、前記第１のキャビティ内導波路と前記第１の熱−光学的導波路との間に第１の格子結合を誘導する第１の格子であって、前記第１の格子結合の第１の格子周波数が第１の電極温度の第１の変化によって同調され、少なくとも共振器モード周波数が前記第１の電極温度の第１の変化に実質的に影響されない第１の格子と、
前記共振器の光路に沿って配置され、第２の温度変化に実質的に影響されない第２の実効屈折率を有する第２のキャビティ内導波路セグメントと、
前記第２のキャビティ内導波路に隣接して配置され、第２の温度依存性屈折率を有する第２の熱−光学的導波路セグメントと、
前記第２の熱−光学的導波路に隣接して配置され、前記第２のキャビティ内導波路及び前記第２の熱−光学的導波路を加熱するために熱的に結合された、第２の温度で特徴づけられる第２の抵抗性ヒータ電極と、
前記第２のキャビティ内導波路及び前記第２の熱−光学的導波路において伝搬する光と重なる関係で配置され、前記第２のキャビティ内導波路と前記第２の熱−光学的導波路との間に第２の格子結合を誘導する第２の格子であって、前記第２の格子結合の第２の格子周波数が第２の電極温度の第２の変化によって同調され、前記第１の共振器モード周波数が前記第２の電極温度の前記第２の変化に実質的に影響されない第２の格子と、
を具備する光学的交叉接続。
【請求項１５】
前記第１の格子周波数及び前記第２の格子周波数が、前記第１の共振器周波数と実質的に一致するように同調され、
前記第１の熱−光学的導波路が更に、第１の入力導波路セグメントと、第１の出力導波路セグメントとを備え、
前記第２の熱−光学的導波路が更に、第２の入力導波路セグメントと、第２の出力導波路セグメントとを備える、
請求項１４に記載の交叉接続。
【請求項１６】
前記共振器が共振器損失で特徴付けられるリング共振器であり、
前記第１の入力導波路セグメントにおける光学的な場の第１の小部分が第１の共振器モードに結合され、
入力の場の第２の小部分が前記第１の出力導波路において伝搬し、
前記第１の共振器モードの場の第３の小部分が前記第１の出力導波路に結合され、
前記第２の小部分と前記第３の小部分とが相殺的に干渉し、前記第１の共振器モード周波数で前記第１の出力導波路の第１の出力の光学的パワーが実質的にゼロになるように、前記格子結合又は前記共振器損失が、第１の共振器モード周波数で前記共振器をインピーダンス整合させるように調節される、請求項１５に記載の交叉接続。
【請求項１７】
前記第１の共振器モード周波数での前記第１の入力導波路の実質的に全ての第１の光学的入力パワーが、前記共振器に結合される、請求項１６に記載の交叉接続。
【請求項１８】
前記第１の共振器モード周波数での第１の入力パワーの第４の実質の小部分が、前記第２の出力導波路に結合される、請求項１７に記載の交叉接続。
【請求項１９】
前記第１の共振器モード周波数での前記第２の入力導波路内の第２の光学的入力パワーの第５の実質の小部分が、前記第１の出力導波路に結合される、請求項１８に記載の交叉接続。
【請求項２０】
前記第２の共振器モード周波数での前記第１の入力導波路の実質的にすべての第１の光学的入力パワーが、前記第１の出力導波路に結合される、請求項１５に記載の交叉接続。
【請求項２１】
前記第１のキャビティ内導波路が、前記第１の熱−光学的導波路に隣接する第１の実効屈折率で特徴付けられ、
前記第１のキャビティ内導波路が更に、第１の実効屈折率とは異なる第１の調節された実効屈折率で特徴付けられる第１の調節された導波路セグメントを含む、請求項１４に記載の交叉接続。
【請求項２２】
前記第１の格子結合及び前記第２の格子結合がそれぞれ、第１及び第２の最大値半値の半幅の結合帯域幅で特徴付けられ、
前記第１の結合帯域幅及び前記第２の結合帯域幅が前記自由スペクトル領域よりも狭い、請求項１４に記載の交叉接続。
【請求項２３】
前記自由スペクトル領域が、光学的通信周波数帯域内の指定の周波数チャンネル間隔の有理分数である、請求項１４に記載の交叉接続。